(57)【要約】【課題】  本発明は、玄米専用のコイン精米機に籾を供給して精米装置の籾詰まりを防止することを課題とする。【解決手段】  コインを投入することによって玄米供給ホッパー（１６）に供給した玄米を精米作業する精米装置（１４）を備えた玄米専用のコイン精米機において、玄米供給ホッパー（１６）に籾と玄米を判別できる籾・玄米判別センサ（２１）を設け、玄米供給ホッパー（１６）に供給した穀粒を籾・玄米判別センサ（２１）が籾と判別すると精米装置（１４）を起動しないよう制御することを特徴とする玄米専用のコイン精米機とする。【選択図】  図４
2009285655.tif 000002
【特許請求の範囲】
【請求項１】
コインを投入することによって玄米供給ホッパー（１６）に供給した玄米を精米作業する精米装置（１４）を備えた玄米専用のコイン精米機において、玄米供給ホッパー（１６）に籾と玄米を判別できる籾・玄米判別センサ（２１）を設け、玄米供給ホッパー（１６）に供給した穀粒を籾・玄米判別センサ（２１）が籾と判別すると精米装置（１４）を起動しないよう制御することを特徴とする玄米専用のコイン精米機。
【請求項２】
玄米供給ホッパー（１６）に供給した穀粒を移送するエレベータ（２２）と、エレベータ（２２）で移送した穀粒を石抜選別装置（１３）へ移送するか玄米供給ホッパー（１６）の上に設ける取出口（５０）に返却する分岐シュータ（２３）を設け、
玄米供給ホッパー（１６）に供給した穀粒を籾・玄米判別センサ（２１）が籾と判別すると、エレベータ（２２）で移送した玄米供給ホッパー（１６）の穀粒を分岐シュータ（２３）から取出口（５０）へ返却されるよう構成したことを特徴とする請求項１記載の玄米専用のコイン精米機。
【発明の詳細な説明】
【技術分野】
【０００１】
この発明は、所定量の玄米とコインを投入して精米を行なうコイン精米機に関する。
【背景技術】
【０００２】
特許文献１には玄米とコインを投入して精米を行なう精米設備が記載されている。
【先行技術文献】
【特許文献】
【０００３】
【特許文献１】特開平１０−１４６５６６号公報
【発明の開示】
【発明が解決しようとする課題】
【０００４】
本発明は、玄米専用のコイン精米機に籾を供給して精米装置の籾詰まりを防止することを課題とする。
【課題を解決するための手段】
【０００５】
請求項１に記載の発明は、コインを投入することによって玄米供給ホッパー（１６）に供給した玄米を精米作業する精米装置（１４）を備えた玄米専用のコイン精米機において、玄米供給ホッパー（１６）に籾と玄米を判別できる籾・玄米判別センサ（２１）を設け、玄米供給ホッパー（１６）に供給した穀粒を籾・玄米判別センサ（２１）が籾と判別すると精米装置（１４）を起動しないよう制御することを特徴とする玄米専用のコイン精米機とする。
【０００６】
請求項２に記載の発明は、玄米供給ホッパー（１６）に供給した穀粒を移送するエレベータ（２２）と、エレベータ（２２）で移送した穀粒を石抜選別装置（１３）へ移送するか玄米供給ホッパー（１６）の上に設ける取出口（５０）に返却する分岐シュータ（２３）を設け、玄米供給ホッパー（１６）に供給した穀粒を籾・玄米判別センサ（２１）が籾と判別すると、エレベータ（２２）で移送した玄米供給ホッパー（１６）の穀粒を分岐シュータ（２３）から取出口（５０）へ返却されるよう構成したことを特徴とする請求項１記載の玄米専用のコイン精米機とする。
【発明の効果】
【０００７】
本発明により、籾供給による精米装置１４の籾詰まりを防止することができる。
【図面の簡単な説明】
【０００８】
【図１】石抜選別装置一部の側面図と、石抜選別制御のブロック図。
【図２】その全体側面図。
【図３】精米施設の平面配置図。
【図４】その精米系路図。
【図５】精米施設の内部正面図。
【図６】粗選機部の側面図。
【発明を実施するための最良の形態】
【０００９】
図面に基づいて、石抜選別装置を有した精米装置を説明する。所定量の玄米とコインを投入することによって精米を行うコイン精米機では、ハウス１１内の機械室１２に石抜選別装置１３や、精米装置１４等を設け、作業室１５からの玄米供給ホッパー１６への玄米供給や、操作盤１７のコインメック１８へのコイン供給等によって精米作業を行うことができ、精米後の白米は白米ホッパー１９から袋２０詰めして取出処理することができる。該玄米供給ホッパー１６に投入された玄米は、この籾、玄米判別センサ２１による識別を受けてエレベータ２２へ供給される。このエレベータ２２から分岐シュータ２３へ送られて、該判別センサ２１による判別によって玄米である場合は、石抜選別装置２４側へ移送され、籾である場合は、作業室１５側ホッパー１６上の取出口５０へ取り出される。この石抜選別装置２４は、玄米ホッパー２５のシャッター２６を開けることによって供給される石混じりの玄米を受けて搖動移送する搖動棚１と、この搖動棚１の傾斜上端側に選別口３と、この底部を開閉するシャッター４、及びこの選別口３から排出される玄米を玄米口５へ切替案内したり、石抜口６へ案内する切替弁７等から構成される。
【００１０】
この石抜き口６へ切替られて排出される石礫類は機外の容器５１へ排出されるが、玄米口５へ排出される玄米は、精米装置１４へ搬送するエレベータ２７へ供給される。該搖動棚１の上面には揺上突子が形成されていて、この搖動棚１の搖動作用によってホッパー２５から供給される石混じりの玄米を受けて傾斜上位側の石抜経路２と、下位側の玄米経路２８とに移送選別することができる。この玄米経路２８の終端部には、この石抜選別装置１３と一体的に構成された粗選機８が配置される。この粗選機８は、傾斜する搖動盤２９と、この搖動盤２９をクランク軸３０を介して旋回駆動するモータ３１を、取付ベース３２に取付ける。搖動盤２９の傾斜下手側には玄米口３３とわら屑口３４が形成されて、取付ベース３２に設けられる各シュート３５、３６にのぞませている。このわら屑シュート３６から取り出されるわら屑は機外へ排出させるが、玄米シュート３５から取り出される玄米は、前記エレベータ２７を経て精米装置１４の精米ホッパー３７へ供給される。
【００１１】
前記該精米装置１４は精米ホッパー３７からの玄米を受けて精米作用を行うことができる。この精米された白米は白米ホッパー１９へ取り出すことができるが、この白米を研米ホッパー２３８へ切替て、エレベータ２７を介して再度精米ホッパー３７へ還元させることにより再精米（乃至研米）作用を行わせることができる。
【００１２】
前記石抜選別装置２４の搖動棚１は、下側にフアン４１を回転させて送風する送風室４２を設け、この搖動棚１にスリット４２を通して石抜経路２側へ噴風させる。この搖動棚１の石抜経路２及び玄米経路２８の終端部は幅寄せ形態に狭くして、選別口３や粗選搖動盤２９上にのぞませる。選別口３１はこの石抜経路２終端の搖動棚１面よりも低くした位置に、前後水平状のシャッター４が設けられて、このシャッター４をシリンダ４４の伸縮によって、前後に作動されて開閉される。このシャッター４が閉鎖されると選別口３は有底容器の形態となり、内部に搖動棚１から移送排出される石Ａ混じりの玄米Ｂを溜めることができる。前記切替弁７は、石抜口６と玄米口５との間の弁軸４５の周りに前後に回動して、玄米口５へ排出するときは、後側へ回動して石抜口６上を閉鎖し、石抜口６へ排出するときは、前側へ回動して玄米口５上を閉鎖する。このようなシャッター４と切替弁７との作動は、コントローラ４６からの出力によって連動される。このコントローラ４６の入力側には手動的に石抜作用を行わせる石抜スイッチ４７や、前記選別口３に所定量の石Ａ混じり玄米Ｂが溜ったことを検出して石抜き作動させる石抜センサ４８等を設け、出力側にシャッター４を開閉作動するシリンダー４４、及び切替弁４５を切替作動するアクチュエータ等を設ける。
【００１３】
玄米がホッパー２５に供給されてシャッター２６が開かれると、この玄米が揺動棚１の上面中央部に供給される。この揺動棚１の揺動と送風室４２からの送風によって、石Ａ混じりの玄米Ｂが石抜経路２側へ揺動移送される。このとき比重選別により石礫類Ａは下層に、玄米Ｂは上層に浮上されて、石Ａは石抜経路２に沿ってそのまま移送されるが、上層の玄米Ｂはこの上層部を玄米経路２８に沿って流下移送されて、石Ａと玄米Ｂとに選別される。しかしながら石抜経路２における玄米Ｂの選別は、完全には行われないで、少量の玄米Ｂが石Ａと混じって選別口３へ送出されることが多い。ここで、石抜経路２から選別口３に送出された石混じりの玄米は、シャッター４の閉鎖状態に伴って溜められて、上層に石Ａ層が溜り、この上側に玄米Ｂ層が溜った状態となる。この貯溜量が一杯になると石抜センサ４８の検出によって、シリンダ４４が作動されシャッター４がタイマーによる最初の一定瞬時の短かい時間にわたって開かれると共に、切替弁７が玄米口５を閉じる。このシャッター４の開きによって下層部の石Ａが石抜口６へ排出される。シャッター４は直ちに閉鎖されて選別口３の後続排出の石Ａや玄米Ｂの落下を遮断する。そしてタイマーによる一定時間が経過すると二回目の一定の短かい時間シャッター４の開きが行われて、この間に下層に溜った石Ａ層部が排出されて、再度シャッター４閉鎖される。このようなシャッター４の開回数を二回に限らず三回、四回のように増加させることもできる。
【００１４】
このようにして、一定複数回数の石抜作用が行われると、次には切替弁７が石抜口６上を閉鎖すると共に、シャッター４がタイマーによる一定時間開かれて、選別口３上層部にまで溜った玄米Ｂを排出して閉鎖される。このような石抜作用を繰返して玄米に混入している石礫を取除くことができる。
【００１５】
前記揺動棚１上を玄米経路２８に沿って送出されるわら屑混じりの玄米Ｂは、隣りの粗選８の揺動盤２９上に供給されて、わら屑等の異物が選別除去される。この揺動盤２９のクランク軸３０には粗選クラッチ４９が設けられていて、この祖選クラッチ４９を切りにすることによってモータ３１の回転に拘らず揺動を停止することができる。この粗選クラッチ４９の切り作動は、前記石抜きセンサ４８の検出によってシャッター４を最初に開くときに行われる。又、二回目に開かれたシャッター４の閉鎖と同時に粗選クラッチ４９を入りにする構成としている。このようにして、石抜選別口３のシャッター４が開かれて石抜作用が行われるときは、粗選機８の揺動用を一旦停止することによって、この石抜き選別作用を共振等によって乱されないようにして、安定した精度の良い石抜きを行わせることができる。
【００１６】
前記玄米供給ホッパー１６に判別センサが設けられるため、玄米専用のコイン精米機のホッパー１６に、籾を供給したときは、コイン精米機は起動されない。このホッパー１６に供給された籾は分岐シュータ２３から作業室１５側の取出口５０へ返却されて、この籾供給による精米装置１４や石抜選別装置１３等の籾詰まりを防止することができる。
【００１７】
又、コイン精米機では、利用客の勘違い等により追加のコインをコインメック１８に投入することが多い。そこで、空運転と判断したときは、使用コインを全額返却して音声で空運転である旨を利用額に通知する。又、データプリンタには空運転表示とコイン￥０を印字する。これによって、運転すれば空運転とあることが判り、コインを返却し空運転の案内をすることにより、利用者を納特させることができる。
【符号の説明】
【００１８】
１  揺別棚
２  石抜経路
３  選別口
４  シャッター
５  玄米口
６  石抜口
７  切替弁
８  粗選機
【図１】
2009285655.tif 000003
【図２】
2009285655.tif 000004
【図３】
2009285655.tif 000005
【図４】
2009285655.tif 000006
【図５】
2009285655.tif 000007
【図６】
2009285655.tif 000008